(57)【要約】【課題】作業者の負担を軽減でき、曝気槽の上方に高い空間を要さず、作業者に不安定感を与えることがない散気体の昇降装置を提供する。【解決手段】曝気槽（１１）内に垂直に設けられた２本のガイド部材（２４）と、散気体（１０）と一体化され且つガイド部材（２４）に移動可能に嵌合する移動部材（２０）と、散気体（１０）の長手方向の両方の端部（１０ａ）に対応する移動部材（２０）の部分にそれぞれ一端が接続され且つ他端が曝気槽（１１）の上方に引き出された吊り上げ用治具（２１）とを具備する。【効果】散気体（１０）を曝気槽（１１）外に出す作業を複数の作業者で行うことができ、負担を軽減できる。散気体（１０）を水平のまま引き上げることができ、曝気槽（１１）の上方に高い空間を要さない。散気体（１０）が空中に垂直に立つことがないため、作業者に不安定感を与えない。【選択図】図１
2006159162.tif 000002
【特許請求の範囲】
【請求項１】
微細気泡を発生させて汚水処理するべく曝気槽（１１）内の底部（１２）に配設される散気体（１０）を前記曝気槽（１１）内で昇降させるための散気体の昇降装置において、
前記曝気槽（１１）内に垂直に設けられた複数のガイド部材（２４）と、前記散気体（１０）と一体化され且つ前記ガイド部材（２４）に移動可能に嵌合する移動部材（２０）と、前記散気体（１０）の長手方向の両方の端部（１０ａ）またはそれらに対応する前記移動部材（２０）の部分にそれぞれ一端が接続され且つ他端が前記曝気槽（１１）の上方に引き出された複数の吊り上げ用治具（２１）とを具備したことを特徴とする曝気槽における散気体の昇降装置。
【請求項２】
前記移動部材（２０）は、前記散気体（１０）の長さ以上の長さを有し且つ前記散気体（１０）と一体化されて全体の強度を向上させることを特徴とする請求項１記載の散気体の昇降装置。
【請求項３】
前記移動部材（２０）は、前記ガイド部材（２４）の上端で前記ガイド部材（２４）から離脱可能であること特徴とする請求項１又は請求項２記載の散気体の昇降装置。
【発明の詳細な説明】
【技術分野】
【０００１】
本発明は、散気体の昇降装置に関し、さらに詳しくは、散気体を曝気槽外に出す作業者の負担を軽減でき、曝気槽の上方に高い空間を要さず、作業者に不安定感を与えることがない散気体の昇降装置に関する。
【背景技術】
【０００２】
従来、曝気槽内に垂直に吊り下げられる１本の長手ガイド部材と、その長手ガイド部材の下端に蝶番を介して一端が取り付けられた散気体と、その散気体の他端に一端が接続され且つ他端が長手ガイド部材の上方に引き出された引き揚げ用長手部材とを具備し、引き揚げ用長手部材を引くことにより蝶番を軸として散気体を回動して長手ガイド部材と平行に立て、次いで散気体を垂直に引き上げて曝気槽外に出す散気体の昇降装置が知られている（特許文献１参照。）。
【０００３】
【特許文献１】特開２００１−２４６３９４号公報
【発明の開示】
【発明が解決しようとする課題】
【０００４】
上記従来の散気体の昇降装置では、次の問題点がある。
（１）引き揚げ用長手部材を１人で引いて散気体を立てる作業をすることになるが、水の抵抗が大きいため、作業者１人では負担が大きい。かといって、引き揚げ用長手部材が１本しかないため、作業者２人では作業しにくい。
（２）散気体を垂直に引き上げて曝気槽外に出すと、例えば２ｍ位の散気体が空中に垂直に立つことになり、曝気槽の上方に例えば２ｍ以上の高い空間が必要になる。
（３）例えば２ｍ位の散気体が空中に垂直に立っていると、作業者に不安定感を与える。
そこで、本発明の目的は、散気体を曝気槽外に出す作業者の負担を軽減でき、曝気槽の上方に高い空間を要さず、作業者に不安定感を与えることがない散気体の昇降装置を提供することにある。
【課題を解決するための手段】
【０００５】
第１の観点では、本発明は、微細気泡を発生させて汚水処理するべく曝気槽（１１）内の底部（１２）に配設される散気体（１０）を前記曝気槽（１１）内で昇降させるための散気体の昇降装置において、前記曝気槽（１１）内に垂直に設けられた複数のガイド部材（２４）と、前記散気体（１０）と一体化され且つ前記ガイド部材（２４）に移動可能に嵌合する移動部材（２０）と、前記散気体（１０）の長手方向の両方の端部（１０ａ）またはそれらに対応する前記移動部材（２０）の部分にそれぞれ一端が接続され且つ他端が前記曝気槽（１１）の上方に引き出された複数の吊り上げ用治具（２１）とを具備したことを特徴とする曝気槽における散気体の昇降装置を提供する。
上記第１の観点による散気体の昇降装置では、散気体（１０）の長手方向の両方の端部（１０ａ）またはそれらに対応する移動部材（２０）の部分にそれぞれ一端が接続され且つ他端が曝気槽（１１）の上方に引き出された複数の吊り上げ用治具（２１）を具備しているため、散気体（１０）を曝気槽（１１）外に出す作業を複数の作業者で容易に行うことができ、作業者の負担を軽減できる。また、散気体（１０）を垂直に立てずに水平のまま引き上げることができ、曝気槽（１１）の上方に高い空間を要さない。さらに、散気体（１０）が空中に垂直に立つことがないため、作業者に不安定感を与えない。
【０００６】
第２の観点では、本発明は、前記移動部材（２０）は、前記散気体（１０）の長さ以上の長さを有し且つ前記散気体（１０）と一体化されて全体の強度を向上させることを特徴とする請求項１記載の散気体の昇降装置を提供する。
散気体（１０）をそのまま水平に引き上げようとすると、水の抵抗を受けて散気体（１０）が曲がってしまう可能性がある。
そこで、上記第２の観点による散気体の昇降装置では、散気体（１０）の長さ以上の長さを有し且つ散気体（１０）と一体化される移動部材（２０）として、全体の強度を向上させる。これにより、水の抵抗を受けて散気体（１０）が曲がってしまうことを防止できる。
【０００７】
第３の観点では、本発明は、前記移動部材（２０）は、前記ガイド部材（２４）の上端で前記ガイド部材（２４）から離脱可能であること特徴とする請求項１又は請求項２記載の散気体の昇降装置を提供する。
上記第３の観点による散気体の昇降装置では、ガイド部材（２４）の上端でガイド部材（２４）から移動部材（２０）を離脱させることにより、ガイド部材（２４）に拘束されずに散気体（１０）の検査等を行うことが出来る。
【発明の効果】
【０００８】
本発明の散気体の昇降装置によれば、散気体を曝気槽外に出す作業者の負担を軽減でき、曝気槽の上方に高い空間を要さず、作業者に不安定感を与えることもなくなる。
【発明を実施するための最良の形態】
【０００９】
以下、図に示す実施例により本発明をさらに詳細に説明する。なお、これにより本発明が限定されるものではない。
【実施例１】
【００１０】
図１は、実施例１にかかる散気体の昇降装置を示す正面図である。
この散気体の昇降装置は、曝気槽（１１）内に垂直に設けられた２本のガイド部材（２４）と、微細気泡を発生させて汚水処理するべく曝気槽（１１）内の底部（１２）に配設される散気体（１０）と一体化され且つガイド部材（２４）に移動可能に嵌合する移動部材（２０）と、散気体（１０）の長手方向の両方の端部（１０ａ）に対応する移動部材（２０）の部分にそれぞれ一端が接続され且つ他端が曝気槽（１１）の上方に引き出された２本のチェーンやロープなどの吊り上げ用治具（２１）とを具備している。なお、（１３）は、散気体（１０）に空気を供給するための空気供給ホースである。
【００１１】
図２は、実施例１にかかる散気体の昇降装置を示す上面図である。なお、図１は、図２のＡ−Ａ’断面図に相当する。
移動部材（２０）は、４個の取付金具（２０ａ）によって、散気体（１０）を一体に保持している。
曝気槽開口１１ａは、散気体（１０）および移動部材（２０）を曝気槽（１１）外に出すために必要な最小の面積になっている。
【００１２】
図３は、散気体（１０）を示す上面図である。
散気体（１０）の片側に、空気供給ホース（１３）を接続するためのホース接続口（１０ｂ）がある。
【００１３】
図４は、移動部材（２０）を示す上面図である。
移動部材（２０）は、散気体（１０）を補強する断面コ形のアーム（２０ａ）と、アーム（２０ａ）の両端に取り付けられた嵌合部材（２０ｂ）と、ガイド部材（２４）を挿通するために嵌合部材（２０ｂ）に設けられたＵ字切欠（２０ｃ）と、吊り上げ用治具（２１）の一端を取り付けるためのリング（２０ｄ）とを備えている。
【００１４】
図５に示すように、２本の吊り上げ用治具（２１）をそれぞれ作業者が引くことで、散気体（１０）および移動部材（２０）を水平状態で引き上げることが出来る。
【００１５】
図６に示すように、ガイド部材（２４）の上端で移動部材（２０）をガイド部材（２４）から離脱させることが出来るので、曝気槽開口（１１ａ）から散気体（１０）および移動部材（２０）を曝気槽（１１）外に出し、保守作業を行うことが出来る。
【産業上の利用可能性】
【００１６】
本発明の散気体の昇降装置は、汚水処理施設において、微細気泡を発生させて汚水を活性汚泥処理するべく曝気槽内の底部に配設される散気体の保守を行うのに利用できる。
【図面の簡単な説明】
【００１７】
【図１】実施例１にかかる散気体の昇降装置を示す正面図である。
【図２】実施例１にかかる散気体の昇降装置を示す上面図である。
【図３】散気体（１０）を示す上面図である。
【図４】移動部材（２０）を示す上面図である。
【図５】散気体（１０）および移動部材（２０）を引き上げ中の状態を示す説明図である。
【図６】散気体（１０）および移動部材（２０）を曝気槽から出した状態を示す説明図である。
【符号の説明】
【００１８】
１０        散気体
１１        曝気槽
１３        空気供給用ホース
２０        移動部材
２１        吊り上げ用治具
２４        ガイド部材
【図１】
2006159162.tif 000003
【図２】
2006159162.tif 000004
【図３】
2006159162.tif 000005
【図４】
2006159162.tif 000006
【図５】
2006159162.tif 000007
【図６】
2006159162.tif 000008